(57)【特許請求の範囲】
【請求項１】
特定の機能のみを使用できる第１の機能モードと、
前記特定の機能及び前記特定の機能以外の機能を使用できる第２の機能モードと、
前記第１と第２の機能モードの切り替えを指示する機能キーと、
前記第１又は前記第２の機能モードが設定されており、待ち受け状態において、前記機能キーが一定時間以上押下されたかどうかを判定し、一定時間以上押下された場合に、前記設定されている機能モードとは異なる機能モードを設定する制御部とを有することを特徴とした携帯電話機。
【請求項２】
特定の機能のみを使用できる第１の機能モードと、前記特定の機能及び前記特定の機能以外の機能を使用できる第２の機能モードと、
前記第１と第２の機能モードの切り替えを指示する機能キーと、
前記第１又は前記第２の機能モードを記憶するメモリと、
電源投入時に、前記メモリに記憶されている機能モードが前記第１の機能モードであるか前記第２の機能モードであるかを判定し、前記記憶されている機能モードが前記第１の機能モードであれば前記第１の機能モードを設定し、前記記憶されている機能モードが前記第２の機能モードであれば前記第２の機能モードを設定し、
待ち受け状態において、前記機能キーが一定時間以上押下されたかどうかを判定し、前記機能キーが一定時間以上押下された場合、前記第１の機能モードが設定されていれば、前記メモリに前記第２の機能モードを記憶して、前記第２の機能モードを設定し、前記第２の機能モードが設定されていれば、前記メモリに前記第１の機能モードを記憶して、前記第１の機能モードを設定する制御部とを有することを特徴とした携帯電話機。
【発明の詳細な説明】
【０００１】
【発明の属する技術分野】
本発明は、多機能電話機及び携帯用電話機等の拡張機能付き電話機に係り、特に、利便性を図るために拡張機能を多くしても、利用者の操作ミスを少なくし、操作性を向上させることができ、更に製造コストを低減できる拡張機能付き電話機及びその制御方法に関する。
【０００２】
【従来の技術】
一般に、拡張機能付き電話機の機能としては、「電話をかける」「電話を受ける」ために必要不可欠な、電話機本来の機能である発信、番号入力、終了、着信受け付け等の基本機能と、基本機能以外の機能である短縮ダイヤルの登録・参照、再ダイヤル発信制限、音量調節、電池残量表示、自回線番号表示、通話時間表示、通話料金表示等の拡張機能がある。従来は、各電話機で使用できる機能は製造者によって固定されていた。
【０００３】
ここで、従来の拡張機能付き電話機の構成について、図１３を用いて説明する。図１３は、従来の拡張機能付き電話機の構成ブロック図である。従来の拡張機能付き電話機は、プッシュボタンから発信、終了、番号入力等を行う入力部１１と、送信及び受信を行う送受信部１２と、通話時間・次回線番号・電池残量等を表示する表示部１３と、通話時間を計測するタイマー、着信音の音量調節を行う着信音出力部、電池の残量を検出する電池残量検出部等の拡張機能を実現するために機能する拡張機能実行部１４と、基本機能及び拡張機能を実現する制御プログラム、拡張機能の個々の機能を巡回的に選択指定する機能順番テーブル１９、及び短縮ダイヤル等を登録しておくメモリ部１５と、拡張機能内の各機能を切り替える信号を入力する機能キー１６と、各部の制御及び処理を行う制御部１７と、現在の機能状態を記憶しておく不揮発性メモリとしてのＥＥＰＲＯＭ１８とから構成されている。尚、機能順番テーブル１９は、メモリ不１５内に設けられている。
【０００４】
次に、上記構成の従来の拡張機能付き電話機における制御方法について説明する。入力部１１から基本機能の実行を指示する信号が入力されると、制御部１７は、メモリ部１５内の制御プログラムの内、基本機能を実現するプログラム（基本機能プログラム）を起動させ、基本機能を実現するようになっていた。同様に、拡張機能の実行を指示する信号が入力されると、制御部１７は、メモリ部１５内の拡張機能を実現するプログラム（拡張機能プログラム）を起動させ、拡張機能実行部１４に指示して、各機能を実現するようになっていた。
【０００５】
次に、従来の拡張機能付き電話機における拡張機能の各機能の切り替え方法について図１３を用いて説明する。拡張機能の中の各機能の切り替えは、機能キー１６からの入力信号によって行われるが、拡張機能の実行順は、予めメモリ部１５内の機能順番テーブル１９に登録されており、複数の拡張機能の中で実行順が巡回するようになっている。そして、機能キー１６からの入力がある毎に、機能順番テーブル１９に従って、実行される機能が変わるようになっている。また、ＥＥＰＲＯＭ１８は、現在実行されている機能を示す機能状態を保持するようになっており、制御部１７は、ＥＥＰＲＯＭ１８に記憶されている機能状態に対応する制御プログラムをメモリ部１５から読み出して、該拡張機能を実行するようになっている。
【０００６】
そして、機能キー１６からの入力があると、制御部１７はＥＥＰＲＯＭ１８から機能状態を読み込み、メモリ部１５内の機能順番テーブル１９を参照して、次に実行すべき機能（次機能）を読み出し、読み出した次機能をＥＥＰＲＯＭ１８に書き込んで機能状態を更新し、機能状態を切り替える。制御部１７は、更新された機能状態の制御プログラムをメモリ部１５より読み出し、制御プログラムに従って拡張機能部１４に指示して機能を実現する。このようにして、拡張機能内の各機能の切り替えを行うようになっていた。
【０００７】
【発明が解決しようとする課題】
しかしながら、上記従来の拡張機能付き電話機では、利便性を追及して拡張機能の数を多くすると操作が複雑になり、不慣れな利用者は複雑な操作に対処できずに、操作ミスによる誤動作を起こしやすくなってしまうという問題点があり、特に、発信制限、着信音消音モード等を無意識のうちに指定してしまうと、基本機能が使えなくなってしまい、操作性が悪いという問題点があった。
【０００８】
また、メーカー側にとっては、様々な客のニーズに答えるため、多種の電話機を製造する必要があり、電話機の製造コストが高くなってしまうという問題点があった。
【０００９】
本発明は上記実情に鑑みて為されたもので、多くの機能を備えていて利便性があり、また、高度な機能を必要としない利用者にとっては、無駄な複雑操作による誤動作を少なくして操作性を向上させることができ、更に、メーカーにとっては１機種で多様な利用者のニーズに応えて電話機の製造コストを低減することができる拡張機能付き電話機及びその制御方法を提供することを目的とする。
【００１０】
【課題を解決するための手段】
上記従来例の問題点を解決するための本発明は、携帯電話機において、特定の機能のみを使用できる第１の機能モードと、前記特定の機能及び前記特定の機能以外の機能を使用できる第２の機能モードと、前記第１と第２の機能モードの切り替えを指示する機能キーと、前記第１又は前記第２の機能モードが設定されており、待ち受け状態において、前記機能キーが一定時間以上押下されたかどうかを判定し、一定時間以上押下された場合に、前記設定されている機能モードとは異なる機能モードを設定する制御部とを有することを特徴としている。
また、本発明は、携帯電話機において、特定の機能のみを使用できる第１の機能モードと、前記特定の機能及び前記特定の機能以外の機能を使用できる第２の機能モードと、前記第１と第２の機能モードの切り替えを指示する機能キーと、前記第１又は前記第２の機能モードを記憶するメモリと、電源投入時に、前記メモリに記憶されている機能モードが前記第１の機能モードであるか前記第２の機能モードであるかを判定し、前記記憶されている機能モードが前記第１の機能モードであれば前記第１の機能モードを設定し、前記記憶されている機能モードが前記第２の機能モードであれば前記第２の機能モードを設定し、待ち受け状態において、前記機能キーが一定時間以上押下されたかどうかを判定し、前記機能キーが一定時間以上押下された場合、前記第１の機能モードが設定されていれば、前記メモリに前記第２の機能モードを記憶して、前記第２の機能モードを設定し、前記第２の機能モードが設定されていれば、前記メモリに前記第１の機能モードを記憶して、前記第１の機能モードを設定する制御部とを有することを特徴としている。
【００１１】
【発明の実施の形態】
本発明の実施の形態について図面を参照しながら説明する。図１は、本発明の実施の形態に係る拡張機能付き電話機の構成ブロック図である。
本発明の実施の形態に係る拡張機能付き電話機の構成は、図１２の構成ブロック図に示した従来の電話機の構成とほぼ同様であり、入力部１１と、送受信部１２と、表示部１３と、拡張機能実行部１４と、制御プログラム、機能順番テーブル１９等を登録しておくメモリ部１５′と、機能キー１６と、制御部１７と、ＥＥＰＲＯＭ１８′とから構成されている。
【００１２】
本発明の実施の形態に係る拡張機能付き電話機の特徴は、使用できる機能の範囲が異なる２種類の機能モードを設け、利用者が必要に応じて自分でいずれかの機能モードを選択して切り替えるようにしている点である。本例では、基本機能のみを使用できる「基本機能モード」と、基本機能に加えて拡張機能も使用できる「拡張機能モード」の２種類の機能モードを設けており、「基本機能モード」か「拡張機能モード」かを利用者自身が選択できるようにしているものである。
【００１３】
ここで、本発明の実施の形態に係る拡張機能付き電話機の各構成部分について具体的に説明する。尚、説明を簡単にするために従来例と同様の部分は説明を省略し、本例の特徴部分についてのみ説明する。ＥＥＰＲＯＭ１８′は、機能状態を記憶する機能状態記憶部１８ａと、機能モード状態を記憶する機能モード状態記憶部１８ｂとから構成されており、機能状態に加えて「基本機能モード」か「拡張機能モード」かの機能モード状態を記憶するものである。また、ＥＥＰＲＯＭ１８′は不揮発性メモリであるため、電源がオフになっている間も機能状態及び機能モード状態を保持することができ、次に電源をオンにした場合に前回使用していた機能モード状態及び機能状態を再生できるようになっている。ＥＥＰＲＯＭの代わりに不揮発性メモリとしてバッテリーバックアップドＲＡＭ等を用いても良い。
【００１４】
メモリ部１５′は、従来例と同様の、基本機能プログラム及び拡張機能プログラム、更に拡張機能の中の各機能の実行順を指定する機能順番テーブル１９の他に、機能モードの実行順を指定する機能モード順番テーブル２０を格納しており、本例の場合は「基本機能モード」と「拡張機能モード」を交互に切り替えるようになっている。
【００１５】
また、機能キー１６は拡張機能内の各機能の切り替えと、機能モードの切り替えを指示する切り替え信号の入力部となっており、機能キー１６からの入力があると、その入力状況に応じて制御部１７は機能モード状態を切り替えたり、機能状態を切り替えたりする制御を行うようになっている。
【００１６】
上記構成における本発明の実施の形態に係る拡張機能付き電話機の全体概観は、図２の全体概観図に示すようになっており、発信キー、終了キー、番号キー等の操作キー１０と、機能キー１６と、表示部１３から成る電話機である。
【００１７】
次に、本発明の実施の形態に係る拡張機能付き電話機における制御方法について図１及び図３を用いて説明する。図３は、本発明の実施の形態に係る電話機における制御方法を示すフローチャート図である。まず、電源が投入されると、制御部１７はＥＥＰＲＯＭ１８′の機能モード状態記憶部１８ｂから機能モード状態を読み込み（１０１）、読み込んだ機能モード状態が基本機能モードであるか、拡張機能モードであるかを判断する（１０２）。機能モード状態が基本機能モードであれば、基本機能モードに設定して（１０３）、待ち受け状態となる。そして、入力部１１からの入力や送受信部１２での受信があれば、メモリ部１５′から基本機能プログラムを読み出して起動させ、発信・受信の基本機能を実現するようになっている。基本機能モードの場合は、制御部１７は基本機能を実現するプログラムのみを動作させ、拡張機能プログラムの動作は行わないものである。
【００１８】
また、ＥＥＰＲＯＭ１８′から読み込んだ機能モード状態が拡張機能モードであれば、拡張機能モードに設定し（１０４）、待ち受け状態となり、基本機能プログラムと拡張機能プログラムの両方を動作させることができる状態にする。そして、入力部１１からの指示に応じて、基本機能プログラムを起動させて基本機能を実現し、又は、拡張機能プログラムを起動させて拡張機能実行部１４や表示部１３に指示を出して、拡張機能を実現するようになっている。すなわち、拡張機能モードは、基本機能に加えて、電話機に登録されている全ての拡張機能を使用することができる機能モードである。
【００１９】
次に、本発明の実施の形態に係る拡張機能付き電話機における機能モード及び拡張機能内の機能の切り替え方法について説明する。本例では、機能キー１６を押下することによって機能モードまたは機能の切り替えを行うようになっているが、機能モードを切り替えるか、機能を切り替えるかは機能キー１６の押下時間によって決定され、機能キー１６が２秒以上押下された場合は機能モードを切り替え、押下時間が２秒未満の場合は機能を切り替えるようになっている。
【００２０】
機能モード状態及び機能状態の切り替え方法について図４、図５及び図６を用いて具体的に説明する。図４は、機能モード状態及び機能状態の切り替え制御方法を示すフローチャート図であり、図５は、機能モード順番テーブル２０に基づく機能モード状態の切り替えを示す模式説明図であり、図６は、機能順番テーブル１９に基づく機能状態の切り替えを示す模式説明図である。
【００２１】
図４に示すように、待ち受け状態から機能キー１６の入力があった場合（２０１）、制御部１７は、ＥＥＰＲＯＭ１８′から機能モード状態を読み込む（２０２）。そして、機能キー１６の押下時間が２秒以上であったか否かを判断し（２０３）、２秒以上であれば、メモリ部１５の機能モード順番テーブル２０から次の機能モード（次機能モード）を読み込み（２０４）、次機能モードをＥＥＰＲＯＭ１８′の機能モード記憶部１８ｂに書き込んで機能モード記憶部１８ｂの機能モード状態を更新し（２０５）、次の機能モード状態を設定する（２０６）。これにより、機能モード状態が切り替えられるものである。
【００２２】
従って、図５の模式説明図に示すように、機能モード状態が基本機能モードである場合に機能キー１６を２秒以上押下すれば、機能モード状態は拡張機能モードとなり、逆に、機能モード状態が拡張機能モードの場合に機能キー１６を２秒以上押下すれば基本機能モードに切り替えられるようになっている。
【００２３】
また、図４の処理２０３で、機能キー１６の押下時間が２秒未満であると判断された場合は、制御部１７はＥＥＰＲＯＭ１８′の機能モード状態が拡張機能モードであるか否かを判断し（２０７）、拡張機能モードでない場合、すなわち基本機能モードである場合には、処理を終了して待ち受け状態となる。つまり、基本機能モードの場合は、機能キー１６を２秒以上押下すれば機能モード状態を切り替えるが、機能キー１６を２秒未満押下した場合には反応しないようになっている。
【００２４】
一方、図４の処理２０６で機能状態が拡張機能モードであると判断された場合は、制御部１７は、従来の拡張機能付き電話機の制御方法と同様に、ＥＥＰＲＯＭ１８′の機能状態記憶部１８ｂから機能状態を読み込む（２０８）。そして、メモリ部１５′の機能順番テーブル１９から次の機能（次機能）を読み取り（２０９）、ＥＥＰＲＯＭ１８′の機能状態記憶部１８ｂを次機能で更新して（２１０）次の機能状態を設定し（２１１）、該機能を実現するものである。すなわち、機能モード状態が拡張機能モードの場合は、機能キーを２秒以上押下すれば機能モード状態を切り替え、２秒未満押下すれば機能状態を切り替えるようになっている。尚、図４の処理２０８〜処理２１１の処理は従来の拡張機能付き電話機の機能切り替え制御方法と同様である。
【００２５】
本例では、図６に示すように「電池残量表示」「電話番号表示」「通話時間表示」「通話料金表示」の４種類の拡張機能があり、機能キーを２秒未満押下する毎に、実現される機能が次に移り、実行順が巡回するようになっている。また、本例では拡張機能が４種類の場合について説明したが、より多数の拡張機能を有する場合でも同様に機能状態の切り替え制御を行うことができるものである。
【００２６】
本発明の実施の形態に係る拡張機能付き電話機によれば、利用者の目的に応じて、基本機能のみを実現する基本機能モードと、拡張機能も実現できる拡張機能モードとの選択切り替えが可能な拡張機能対電話機としているので、不慣れな利用者の場合には、基本機能モードを選択して、操作を簡単にして操作ミスによる誤動作を少なくして操作性を向上させることができ、また、高度な機能を必要とする利用者の場合には拡張機能モードとして、様々な機能を駆使することにより利便性を図ることができる効果がある。
【００２７】
また、１種類の電話機で様々な程度の利用者に対応させることができるので、メーカーにとっては、利用者の要求の程度に合わせて何種類もの電話機を製造する必要がなくなり、コストの低減を図ることができる効果がある。
【００２８】
次に、本発明の第２の実施の形態に係る拡張機能付き電話機について説明する。第２の実施の形態に係る電話機の構成は、図１３に示した従来の拡張機能付き電話機の構成とほぼ同様であり、ＥＥＰＲＯＭ１８に機能モード状態を記憶する機能はなく、機能状態のみを記憶するようになっている。そして、電源投入時に機能キー１６を押下すれば「拡張機能モード」を設定し、電源投入時に機能キー１６を押下しなければ「基本機能モード」を設定するようになっている。
【００２９】
ここで、第２の実施の形態に係る拡張機能付き電話機の制御方法について図７を用いて説明する。図７は、第２の実施の形態に係る拡張機能付き電話機の制御方法を示すフローチャート図である。第２の実施の形態に係る電話機では、電源が投入されると、制御部１７は機能キー１６が押下されているか否かを判断し（３０１）、電源投入と同時に機能キーが押下されている場合は拡張機能モードに設定し（３０２）、機能キー１６が押下されていない場合は基本機能モードに設定する（３０３）ものである。
【００３０】
そして、基本機能モードが設定された場合、制御部１７はメモリ部１５から基本機能プログラムを読み込んで起動させて、基本機能を実現し、拡張機能モードが設定された場合は、制御部１７は、次の入力指示によって、メモリ部１５から基本機能プログラム又は拡張機能プログラムを読み込み、基本機能又は拡張機能を実現するようになっている。
【００３１】
第２の実施の形態に係る電話機は、機能モード状態を記憶する手段がないので、電源投入時に設定した機能モードを途中で切り替えることはできず、また、電源をオフにすれば機能モード状態は消去される。しかし、従来の拡張機能付き電話機とほぼ同様の構成でありながら、基本機能のみを実現する基本機能モードを設定することができるので、操作ミスによる誤動作を防ぐことができ、メーカー側にとっては、従来の拡張機能付き電話機のソフトウエアを少し変更するだけで操作性の良い拡張機能付き電話機を提供することができるものである。
【００３２】
第２の実施の形態によれば、基本機能のみを使用したい場合に、電源投入時に簡単に基本機能モードを設定することができ、操作ミスによる誤動作を防ぐことができる効果があり、また、従来の拡張機能付き電話機とほぼ同様の構成で、ソフトウエアの変更のみで機能モード切り替え設定を実現することができるので、操作性を向上させることができる拡張機能付き電話機を低コストで製造することができる効果がある。
【００３３】
次に、本発明の第３の実施の形態に係る拡張機能付き電話機について説明する。第３の実施の形態に係る電話機の構成は、図１に示した第１の実施の形態の構成とほぼ同様である。第３の実施の形態の特徴は、第２の実施の形態と同様の手順で電源投入時に機能モードを設定することができ、また、ＥＥＰＲＯＭ１８′及びメモリ部１５′内に機能モード順番テーブル２０を備えているので、第１の実施の形態と同様に途中で機能モードを切り替えることができる点である。
【００３４】
第３の実施の形態の制御方法について、図８を用いて説明する。図８は、第３の実施の形態の制御方法を示すフローチャート図である。まず、電源が投入されると、制御部１７は機能キー１６が押下されているか否かを判断し（４０１）、押下されている場合はＥＥＰＲＯＭ１８′の機能モード状態記憶部１８ｂに拡張機能モードを書き込み（４０２）、拡張機能モードに設定し（４０３）、待ち受け状態となる。そして、次の入力指示により、制御部１７はメモリ部１５より基本機能プログラム又は拡張機能プログラムを読み込んで動作させ、基本機能又は拡張機能を実行する。
【００３５】
また、図８の処理４０１で電源投入時に機能キー１６が押下されていないと判断された場合、制御部１７は、ＥＥＰＲＯＭ１８′の機能モード状態記憶部１８ｂに基本機能モードを書き込み（４０４）、基本機能モードに設定し（４０５）、待ち受け状態となる。そして次の入力によりメモリ部１５から基本機能プログラムを読み込んで動作させ、基本機能を実行するものである。
【００３６】
待ち受け状態からの機能モード状態及び機能状態の切り替え制御方法は、図４に示した第１の実施の形態の場合と同様であり、機能キー１６を２秒以上押下することにより、現在設定されている機能モードから別の機能モードへの切り替えを行うことができるものである。
【００３７】
第３の実施の形態に係る電話機及びその制御方法によれば、電源入力時に使用したい機能モードを設定するようにしているので、拡張機能モードと基本機能モードの切り替えを頻繁に行う利用者のように、電話機を使用する際に、前回使用していたときの機能モード状態が分りにくい場合に、第１の実施の形態のように電源投入後に改めて機能モード状態を切り替えるより、電源投入時にその都度使用したい機能モードを設定したほうが操作及び処理が簡単であるという効果がある。
【００３８】
次に、本発明の第４の実施の形態に係る拡張機能付き電話機について、図９、図１０、図１１を用いて説明する。第４の実施の形態に係る拡張機能付き電話機の特徴は、基本機能のみを実現する「基本機能モード」と、電話機に備えられている全ての拡張機能を実現する「拡張機能モード」に加えて、一部の拡張機能を実現することができる機能モードとして「一部拡張機能モード」を設けている点である。
【００３９】
ここで、第４の実施の形態に係る拡張機能付き電話機の構成について図９を用いて説明する。図９は、第４の実施の形態に係る拡張機能付き電話機の構成ブロック図である。第４の実施の形態に係る電話機の構成は、図１に示した第１の実施の形態における構成とほぼ同様であるが、メモリ部１５′内のテーブルに加えて、一部拡張機能登録部２１と、一部拡張機能順番テーブル２２を有するメモリ部１５″を設けている点が第１の実施の形態とは異なっている。
【００４０】
一部拡張機能登録部２１は、一部拡張機能モードで実行できる拡張機能を予め設定しておき、一部拡張機能順番テーブル２２によって指定された順番に従って拡張機能プログラムの中から、一部拡張機能登録部２１に登録された機能を実現するプログラムを選択して制御部１７に送出するものである。
【００４１】
一部拡張機能順番テーブル２２は、一部拡張機能登録部２１に登録されている各拡張機能の実行順を指定するものであり、機能キー１６から機能状態切り替えの信号が入力されると、実行される機能が次に移り、複数の機能の中で実行順が巡回するようになっている。
【００４２】
また、メモリ部１５″内の機能モード順番テーブル２０′は、基本機能モードと、拡張機能モードと、一部拡張機能モードの間で実行順が巡回するようになっている。そして、ＥＥＰＲＯＭ１８″の機能モード状態記憶部１８ｂには、基本機能モード、拡張機能モード、一部拡張機能モードのいずれかの機能モード状態が書き込まれるものである。他の構成部分については図１に示した第１の実施の形態と同様である。
【００４３】
次に、第４の実施の形態に係る拡張機能付き電話機の制御方法について説明する。図１０は、第４の実施の形態に係る拡張機能付き電話機の制御方法を示すフローチャート図である。電源が投入されると、制御部１７は、ＥＥＰＲＯＭ１８″の機能モード記憶部１８ｂから機能モード状態を読み込み（５０１）、機能モード状態が基本機能モードであるか、拡張機能モードであるか、一部拡張機能モードであるかを判断する（５０２）。そして、機能モード状態が基本機能モードであれば、基本機能モードを設定して（５０３）、待ち受け状態となる。また、機能モード状態が拡張機能モードであれば、拡張機能モードを設定して（５０４）待ち受け状態となる。
【００４４】
また、機能モード状態が一部拡張機能モードであれば、一部拡張機能モードを設定して（５０５）、待ち受け状態となる。そして、次の入力が基本機能を指示するものであれば、基本機能プログラムを起動させて基本機能を実現し、拡張機能を指示するものであれば、一部拡張機能登録部２１に登録された機能を実行する拡張機能プログラムのみを限定的に起動させて、登録された拡張機能を実現するようになっている。
【００４５】
次に、第４の実施の形態に係る拡張機能付き電話機における機能モード及び機能の切り替え制御方法について、図１１を用いて説明する。図１１は、第４の実施の形態に係る電話機における機能モード及び機能の切り替え制御方法を示すフローチャート図である。待ち受け状態から、機能キー１６の入力があると（６０１）、制御部１７は、機能キー１６の押下時間が２秒以上であるか否かを判断し（６０２）、２秒以上であれば、ＥＥＰＲＯＭ１８″の機能モード状態記憶部１８ｂから機能モード状態を読み込む（６０３）。そして、メモリ部１５″の機能モード順番テーブル２０′から次の機能モード（次機能モード）を読み込み（６０４）、次機能モードをＥＥＰＲＯＭ１８″の機能モード状態記憶部１８ｂに書き込んで、機能モード状態を次機能モードに設定し（６０５）、待ち受け状態となる。
【００４６】
また、図１１の処理６０２で、制御部１７が、機能キー１６の押下時間が２秒未満であると判断した場合は、ＥＥＰＲＯＭ１８″の機能モード状態記憶部１８ｂから機能モード状態を読み込み（６１０）、機能モード状態が何であるかを判断する（６１１）。そして、基本機能モードであれば、そのまま待ち受け状態となる。
【００４７】
また、機能モード状態が拡張機能モードであれば、処理６１６〜処理６１９を行って機能状態を切り替えるが、これは、図４に示した第１の実施例の機能状態切り替え制御方法の処理２０８〜処理２１１と同様であるため、ここでは説明を省略する。
【００４８】
機能モード状態が一部拡張機能モードであれば、ＥＥＰＲＯＭ１８″の機能状態記憶部１８ａから機能状態を読み込み（６１２）、一部拡張機能順番テーブル２２から次の機能（次機能）を読み込み（６１３）、次機能をＥＥＰＲＯＭ１８″の機能状態記憶部１８ａに書き込んで、機能状態を次機能に設定し（６１４）、待ち受け状態となる。そして、制御部１７はメモリ部１５″から、設定された機能を実行する拡張機能プログラムを読み込んで、機能を実現するようになっている。このようにして、第４の実施の形態に係る拡張機能付き電話機の機能モード状態及び機能状態の切り替え制御が行われるものである。
【００４９】
第４の実施の形態に係る拡張機能付き電話機によれば、基本機能モードと拡張機能モードに加えて、基本機能モードと拡張機能モードの中間程度の機能を実現することができる一部拡張機能モードを設けているので、利用者の要求の程度により細かく対応することができる効果がある。
【００５０】
次に、本発明の第５の実施の形態に係る拡張機能付き電話機について説明する。第５の実施の形態に係る拡張機能付き電話機の構成は、図９に示した第４の実施の形態における電話機と同様であり、基本機能モードと、拡張機能モードと、一部拡張機能モードの３種類の機能モードを設定できるようになっている。
【００５１】
第５の実施の形態に係る電話機の制御方法について図９及び図１２を用いて説明する。図１２は、第５の実施の形態に係る拡張機能付き電話機の制御方法を示すフローチャート図である。第５の実施の形態における電話機は、利用者が、電源投入時に機能キー１６を押下すれば一部拡張機能モードを設定し、押下しなければ基本機能モードを設定するようになっている。そして、途中で機能キー１６を２秒以上押下することによって機能モードを切り替えることができるものである。
【００５２】
まず、電源が投入されると、制御部１７は、機能キー１６が押下されているか否かを判断し（７０１）、機能キー１６が押下されていればＥＥＰＲＯＭ１８″の機能モード状態記憶部１８ｂに一部拡張機能モードを書き込み（７０２）、一部拡張機能モードに設定し（７０３）、待ち受け状態となる。そして、次の入力指示に従って、一部拡張機能登録部２１に登録された拡張機能のみを実行する一部の拡張機能プログラムを起動させて、登録された一部の拡張機能を実行し、または、基本機能プログラムを起動させて基本機能を実行するものである。
【００５３】
また、電源投入時に機能キー１６が押下されていなければ、ＥＥＰＲＯＭ１８″の機能モード状態記憶部１８ｂに基本機能モードを書き込み（７０４）、基本機能モードに設定し（７０５）、基本機能プログラムを動作させることができる状態で、待ち受け状態となる。
【００５４】
このようにして基本機能モード又は一部拡張機能モードに設定した場合でも、第５の実施の形態における電話機にはＥＥＰＲＯＭ１８″に機能モード状態記憶部１８ｂが設けられ、また、メモリ部１５″内に機能モード順番テーブル２０′が設けられているため、図１２に示した第４の実施例の切り替え方法と同様に、待ち受け状態から機能キー１６を２秒以上押下することにより、途中で機能モードを切り替えることができ、拡張機能モードに設定することも可能である。
【００５５】
第５の実施の形態における拡張機能付き電話機によれば、前回使用していた機能モードを覚えていない場合に、電源投入時に簡単に一部拡張機能モード又は基本機能モードを設定することができ、一旦機能モード状態を設定してから改めて設定し直すより操作及び処理が容易であるという効果がある。
【００５６】
【発明の効果】
本発明によれば、第１の機能モード又は第２の機能モードの切り替えを指示する機能キーが一定時間押下されているかどうかを制御部が判定し、押下されている場合に異なる機能モードに設定する携帯電話機としているので、利用者は機能モードを容易に切り替えることができ、目的に応じて第１の機能モードと第２の機能モードを使い分けることができる効果がある。
また、本発明によれば、電源が投入されると、制御部がメモリ内の機能モードが第１の機能モードであるか第２の機能モードであるかを判定し、機能モードが第１の機能モードであれば第１の機能モードを設定し、機能モードが第２の機能モードであれば第２の機能モードを設定し、待ち受け状態において、機能キーが一定時間以上押下された場合、第１の機能モードが設定されていれば、メモリに第２の機能モードを記憶して、第２の機能モードを設定し、第２の機能モードが設定されていれば、メモリに第１の機能モードを記憶して、第１の機能モードを設定する携帯電話機としているので、利用者は機能モードを容易に切り替えることができ、目的に応じて第１の機能モードと第２の機能モードを使い分けることができる効果がある。
【図面の簡単な説明】
【図１】本発明の実施の形態に係る拡張機能付き電話機の構成ブロック図である。
【図２】本発明の実施の形態に係る拡張機能付き電話機の全体概観図である。
【図３】本発明の実施の形態に係る電話機における制御方法を示すフローチャート図である。
【図４】機能モード及び機能の切り替え制御方法を示すフローチャート図である。
【図５】機能モード順番テーブル２０に基づく機能モード切り替えを示す模式説明図である。
【図６】機能順番テーブル１９に基づく機能切り替えを示す模式説明図である。
【図７】第２の実施の形態に係る拡張機能付き電話機の制御方法を示すフローチャート図である。
【図８】第３の実施の形態に係る拡張機能付き電話機の制御方法を示すフローチャート図である。
【図９】第４の実施の形態に係る拡張機能付き電話機の構成ブロック図である。
【図１０】第４の実施の形態に係る電話機の制御方法を示すフローチャート図である。
【図１１】第４の実施の形態に係る電話機における機能モード及び機能の切り替え制御方法を示すフローチャート図である。
【図１２】第５の実施の形態に係る拡張機能付き電話機の制御方法を示すフローチャート図である。
【図１３】従来の拡張機能付き電話機の構成ブロック図である。
【符号の説明】
１０…操作キー、  １１…入力部、  １２…送受信部、  １３…表示部、  １４…拡張機能実行部、  １５…メモリ部、  １６…機能キー、  １７…制御部、１８…ＥＥＰＲＯＭ、  １９…機能順番テーブル、  ２０…機能モード順番テーブル、  ２１…一部拡張機能登録部、  ２２…一部拡張機能順番テーブル
【図１】
0003737960.tif 000002
【図２】
0003737960.tif 000003
【図３】
0003737960.tif 000004
【図４】
0003737960.tif 000005
【図５】
0003737960.tif 000006
【図６】
0003737960.tif 000007
【図７】
0003737960.tif 000008
【図８】
0003737960.tif 000009
【図９】
0003737960.tif 000010
【図１０】
0003737960.tif 000011
【図１１】
0003737960.tif 000012
【図１２】
0003737960.tif 000013
【図１３】
0003737960.tif 000014